【手続補正書】
【提出日】平成17年12月16日(2005.12.16)
【手続補正１】
【補正対象書類名】特許請求の範囲
【補正対象項目名】請求項２
【補正方法】変更
【補正の内容】
【請求項２】
該式（II）による化合物類が、C．I．（カラーインデックス）Acid Red ５０、C．I．Acid Red ５１、C．I．Acid Red ５２、C．I．Acid Red ８７、C．I．Acid Red ９１、C．I．Acid Red ９２、C．I．Acid Red ９３、C．I．Acid Red ９４、C．I．Acid Red ９５、C．I．Acid Red ９８、C．I．Acid Red ２８９、C．I．Acid Violet ９またはC．I．Acid Violet ３０から選択され、
該式（III）による化合物類が、C．I．Acid Red １、C．I．Acid Red ３３、C．I．Acid Red ３５、C．I．Acid Red ４０、C．I．Acid Red ７６、C．I．Acid Red １０６、C．I．Acid Red １３８、C．I．Acid Red １５５、C．I．Acid Red １６０、C．I．Acid Red １７２、C．I．Acid Red ２４９、C．I．Acid Red ２６４またはC．I．Acid Red ２６５から選択され、
該式（IV）による化合物類が、C．I．Acid Red １５、C．I．Acid Red １９、C．I．Acid Red ２９、C．I．Acid Red ６０、C．I．Acid Red ６８、C．I．Acid Red １５４またはC．I．Acid Red １７６から選択され、
該式（V）による化合物類が、C．I．Acid Red ３０、C．I．Acid Red ３４、C．I．Acid Red ３７、C．I．Acid Red ４２、C．I．Acid Red ５４、C．I．Acid Red ５７、C．I．Acid Red ２３１、C．I．Acid Red ２６６、C．I．Acid Red ３０１またはC．I．Acid Red ３３７から選択される、請求項１に記載の色素混合物。
【手続補正２】
【補正対象書類名】特許請求の範囲
【補正対象項目名】請求項３
【補正方法】変更
【補正の内容】
【請求項３】
該式（II）による該化合物類が、C．I．Acid Red ５２および／またはC．I．Acid Red ２８９である、請求項２に記載の色素混合物。
【手続補正３】
【補正対象書類名】特許請求の範囲
【補正対象項目名】請求項４
【補正方法】変更
【補正の内容】
【請求項４】
請求項１、２または３に記載の色素混合物を含む記録流体。
【手続補正４】
【補正対象書類名】特許請求の範囲
【補正対象項目名】請求項５
【補正方法】変更
【補正の内容】
【請求項５】
該色素混合物が脱塩された形で使用される、請求項４に記載の記録流体。
【手続補正５】
【補正対象書類名】特許請求の範囲
【補正対象項目名】請求項８
【補正方法】変更
【補正の内容】
【請求項８】
請求項１、２または３に記載の色素混合物を含む電子写真用トナー。
【手続補正６】
【補正対象書類名】特許請求の範囲
【補正対象項目名】請求項９
【補正方法】変更
【補正の内容】
【請求項９】
着色されるべき天然および合成繊維材料、記録媒体またはパルプに、請求項１、２または３に記載の色素混合物を付加する工程を含む、記録媒体にスクリプトおよび像を記録するため、および紙またはパルプ状のセルロースを着色するための、天然および合成繊維材料を着色および印刷する方法。
【手続補正７】
【補正対象書類名】明細書
【補正対象項目名】００２２
【補正方法】変更
【補正の内容】
【００２２】
特に好ましい混合物は、式（I）による化合物と、それぞれ次のような式を有するC．I．Acid Red ５２および／またはC．I．Acid Red ２８９を含む。
【化１８】
2005513189.tif 000001
【手続補正８】
【補正対象書類名】明細書
【補正対象項目名】００３６
【補正方法】変更
【補正の内容】
【００３６】
特に好ましい水溶性溶剤は、環状アミド類、特に２−ピロリドン、N−メチル−２−ピロリドン、N−エチル−２−ピロリドンおよびN−（２−ヒドロキシ）エチル−２−ピロリドン；C1-6のアルコール類、好ましくはｎ−プロパノールおよびシクロヘキサノール、ジオール類、好ましくは１，５−ペンタンジオール、エチレングリコール、チオジグリコール、ジエチレングリコール、トリエチレングリコールおよび１，２−プロピレングリコール、トリオール類、好ましくはグリセロール；およびジオール類のモノC1-4アルキルエーテル類、より好ましくは２〜１２個の炭素原子を有するジオール類のモノC1-4アルキルエーテル類、特に好ましくは２−[２−（２−メトキシエトキシ）−エトキシ] −エタノール、ジエチレングリコール−モノ−ｎ−ブチルエーテル、（例えば花王のEmulgen ６６（Emulgenは花王株式会社の商標））、２−ジエチルアミン−１−エタノール、３−ジメチルアミン−１−プロパノール、３−ジエチルアミン−１−プロパノール、２−（２−ジエチルアミノエトキシ）エタノール、トリエタノールアミン、ジエチレングリコールアミン、ポリグリコールアミン類、好ましくはポリオキシエチレン−（６）−トリエタノールアミン、ポリオキシエチレン−（９）−トリエタノールアミン、o−（２−アミノエチル）−ポリエチレングリコール７５０、o,o−ビス−（２−アミノプロピル）−ポリエチレングリコール５００およびｏ，ｏ’−ビス−（３−アミノプロピル）−ポリエチレングリコール１５００である。
【手続補正９】
【補正対象書類名】明細書
【補正対象項目名】００６４
【補正方法】変更
【補正の内容】
【００６４】
標準的なトナーバインダーは、スチレン、スチレン−アクリレート、スチレン−ブタジエン−アクリレート、ポリエステル、フェノール系のエポキシ樹脂類、ポリスルホン類、ポリウレタン類（個別的にまたは組合せで）、更にポリエチレンおよびポリプロピレンのような付加重合樹脂類、重付加樹脂類、および重縮合樹脂類であって、さらに電荷制御剤、ワックスまたはフロー剤のような配合剤がそれら中に存在あるいはそれらに添加されても良い。本発明による染料混合物は、粉末中、および、例えば金属、木、プラスチック、ガラス、セラミック、コンクリート、テキスタイル材、紙またはゴム等で出来た粒子の表面をコートするのに用いられる粉末被覆剤、特に摩擦帯電または静電帯電によってスプレーされる粉末被覆剤中における着色剤として、さらに有用である。使用される粉末被覆樹脂は、一般に、通例の硬化剤を伴うエポキシ樹脂類、カルボキシル−およびヒドロキシル−含有ポリエステル樹脂類、ポリウレタン樹脂類およびアクリル樹脂類である。樹脂類の組合せも用いられる。例えば、エポキシ樹脂類は、カルボキシル−およびヒドロキシル−含有ポリエステル樹脂類と組合わせてよく使用される。
【手続補正１０】
【補正対象書類名】明細書
【補正対象項目名】００７３
【補正方法】変更
【補正の内容】
【００７３】
本発明による上記の組成物に関するすべての部の全合計は、１００部である。
上記の組成物は、好ましくはその媒体を４０℃に加熱し、次に式（I）の少なくとも１種の化合物と式（II）、（III）、（IV）および／または（V）の少なくとも１種の化合物を含む染料混合物を添加することによって製造される。次いで、その組成物は室温まで冷却される。
このインク組成物は、好ましくは紙または紙状基材の印刷に使用される。